(57)【要約】【課題】階床表示に使用される光源の寿命の延命化を図ることによって、メンテナンス依頼、時間を減少させるとともに、メンテナンスの効率やエレベータシステム全体の稼働効率をあげることのできるエレベータの表示装置を提供する。【解決手段】乗りかごの位置を表示する複数の光源を備える階床表示Ｉと、階床表示Ｉと接続されて複数の光源のうち一方の光源と他方の光源とを切り替える制御を行う制御手段１０とを備える。【選択図】図５
2009018896.tif 000002
【特許請求の範囲】
【請求項１】
乗りかごの位置を表示する複数の光源を備える階床表示と、
前記階床表示と接続されて前記複数の光源のうち一方の光源と他方の光源とを切り替える制御を行う制御手段と、
を備えることを特徴とするエレベータの表示装置。
【請求項２】
前記乗りかごが基準階にパーキング状態にあるときに使用される他方の光源は、前記一方の光源よりも発光時の輝度が低いことを特徴とする請求項１に記載のエレベータの表示装置。
【請求項３】
前記制御手段は、前記乗りかごを基準階にパーキングさせるためのパーキングスイッチのオン、オフを検出する検出手段と、前記検出手段によって検出された前記パーキングスイッチのオン、オフに従って前記一方の光源と前記他方の光源とを切り替える切替手段とを備えることを特徴とする請求項１または請求項２に記載のエレベータの表示装置。
【請求項４】
前記制御手段は、前記乗りかごを基準階にパーキングさせるためのパーキングスイッチのオン、オフを検出する検出手段と、前記検出手段によって検出された前記パーキングスイッチのオン、オフに従って前記他方の光源に供給する電圧を制御する電圧制御手段とを備えることを特徴とする請求項１または請求項２に記載のエレベータの表示装置。
【請求項５】
乗りかごの位置を表示する複数の光源を備える階床表示と、
前記光源への通電が行われているか否かを検出し、前記検出手段によって一方の光源への通電がなされていないことを検出したときに、他方の光源へと通電を切り替える制御手段と、
を備えることを特徴とするエレベータの表示装置。
【請求項６】
乗りかごの位置を表示する光源を備える階床表示と、
前記階床表示と接続されて通常運転時の前記光源の明るさと前記乗りかごが基準階に停止している時の前記光源の明るさとを切り替える制御を行う制御手段と、を備え、
前記制御手段は、前記乗りかごを基準階にパーキングさせるためのパーキングスイッチのオン、オフを検出する検出手段と、前記検出手段によって検出された前記パーキングスイッチのオン、オフに従って前記光源に供給する電圧を制御する電圧制御手段とを備えることを特徴とするエレベータの表示装置。
【発明の詳細な説明】
【技術分野】
【０００１】
本発明は、階床表示の光源の寿命の延命を図ることのできるエレベータの表示装置に関する。
【背景技術】
【０００２】
エレベータの乗り場には、階床表示が設けられている。この階床表示は、例えば、各階を示す数字の表示を光源によって裏側から照らすことで乗客に乗りかごの階床位置を知らせる。そのため、例えば、乗りかごが３階の位置にいると各階において３階を示す階床表示が点灯する。
【０００３】
但し、この光源にも寿命があるため使用により光源が切れてしまう。下記に示す特許文献１では、この光源が切れてしまった場合の対処についての発明が開示されている。
【０００４】
特許文献１に開示されている発明は、エレベータの平常運転状態において、各乗場階ごとに、インジケータのランプに流れる電流を各乗場階に設けた共通の電流検出器で検出し、ランプの球切れが発生していると、このランプが設置されている乗場階とかご位置階とがホストコンピュータに記憶され、かつ要時に表示装置に表示される。従って保守員によるランプの点検作業が不要となり、保守作業が大幅に低減するのみならず、利用客のサービス低下を防止することができる、とされる。
【特許文献１】特開平６−３２１４４８号公報
【発明の開示】
【発明が解決しようとする課題】
【０００５】
しかしながら、特許文献１に開示された発明では、エレベータの平常運転状態のときのランプの球切れについてのみ言及しており、例えば、エレベータをパーキング状態に置いたときのことまでは考えられていない。
【０００６】
すなわち、設置されている建物によっては、ある一定時間エレベータを運行しないこともある。この場合は、乗りかごは基準階と言われる、ある特定の基準となる階床に止まった状態（以下、適宜「パーキング状態」という。）となる。従って、例えばこの基準階が１階に設定された場合は、エレベータがこの基準階に止まっている状態の間、１階の階床表示の光源は点灯し続けることになる。そうなると、基準階の階床表示については、平常運転状態及びパーキング状態の両状態で階床表示の光源が点灯するため、他の階における階床表示に比べて光源の寿命が短くなる。
【０００７】
階床表示はエレベータを使用する乗客にとって一番目につく表示の一つであり、特に上述したように基準階の階床表示の光源に関してはその寿命が短くなる傾向にあるため、エレベータ設置者からのメンテナンス依頼が頻繁に要請されることになる。
【０００８】
本発明は上記課題を解決するためになされたものであり、本発明の目的は、階床表示に使用される光源の延命化を図ることによって、メンテナンス依頼、時間を減少させるとともに、メンテナンスの効率やエレベータシステム全体の稼働効率をあげることのできるエレベータの表示装置を提供することができる。
【課題を解決するための手段】
【０００９】
本発明の実施の形態に係る第１の特徴は、エレベータの表示装置において、乗りかごの位置を表示する複数の光源を備える階床表示と、階床表示と接続されて複数の光源のうち一方の光源と他方の光源とを切り替える制御を行う制御手段とを備える。
【００１０】
本発明の実施の形態に係る第２の特徴は、エレベータの表示装置において、乗りかごの位置を表示する複数の光源を備える階床表示と、光源への通電が行われているか否かを検出し、検出手段によって一方の光源への通電がなされていないことを検出したときに、他方の光源へと通電を切り替える制御手段とを備える。
【００１１】
本発明の実施の形態に係る第３の特徴は、エレベータの表示装置において、乗りかごの位置を表示する光源を備える階床表示と、階床表示と接続されて通常運転時の光源の明るさと乗りかごが基準階に停止している時の光源の明るさとを切り替える制御を行う制御手段と、を備え、制御手段は、乗りかごを基準階にパーキングさせるためのパーキングスイッチのオン、オフを検出する検出手段と、検出手段によって検出されたパーキングスイッチのオン、オフに従って光源に供給する電圧を制御する電圧制御手段とを備える。
【発明の効果】
【００１２】
本発明によれば、階床表示に使用される光源の延命化を図ることによって、メンテナンス依頼、時間を減少させるとともに、メンテナンスの効率やエレベータシステム全体の稼働効率をあげることのできるエレベータの表示装置を提供することができる。
【発明を実施するための最良の形態】
【００１３】
以下、本発明の実施の形態について図面を参照して詳細に説明する。
【００１４】
（第１の実施の形態）
図１は、乗り場階において乗客がエレベータに乗る際に目にするエレベータのドアや階床表示等を示す模式図である。図１においては、正面にエレベータのドアＤが２枚閉まった状態で示されている。図示しない乗りかごが乗り場階に到着すると、このドアＤが左右に開く。ドアＤの上部には、乗りかごの階床位置を示す階床表示Ｉが設けられている。図１では、６分割された直線状の階床表示Ｉが示されており、両端は乗りかごの昇降を示す上下の矢印、これら上下の矢印に挟まれるようにして１階から４階までの各階床を示す表示が設けられている。
【００１５】
また、ドアＤの右側には乗り場ボタンＢが設けられており、乗り場ボタンＢの下にはパーキングスイッチＰが設置されている。このパーキングスイッチＰは、乗りかごを基準階にパーキング状態とするために使用されるスイッチである。平常運転状態においては乗りかごは通常通り昇降路内を上下するが、鍵を差し込んでひねると、乗りかごは基準階においてパーキングスイッチＰを解除するまでその基準階に止まる。
【００１６】
なお、本発明の実施の形態を示す図１では、パーキングスイッチＰを鍵を差し込んで操作するタイプとして示しているが、例えば、大規模な建造物において複数台のエレベータを集中管理しているような場合に、管理室でボタンを押すことによって乗りかごをパーキング状態にするようなパーキングスイッチＰであっても良い。
【００１７】
また、図１には乗りかごの動きに合わせて、或いはパーキングスイッチＰのオン、オフに合わせて階床表示Ｉの点灯を制御する制御手段１０が示されている。制御手段１０は、階床表示Ｉ及びパーキングスイッチＰと接続されている。この制御手段１０は、エレベータシステム全体を制御する操作室等、いずれの場所に設けられていても良い。
【００１８】
図２は、図１における階床表示ＩをＸ−Ｘ線において切断して示す切断断面図である。階床表示Ｉは、光源が収納されるランプボックス１と、第１の光源２と、第２の光源３と、矢印や階床等を示す照光体４とから構成される。照光体４は、背後から光源によって照らされることによって乗りかごの位置等を表示する。
【００１９】
本発明の実施の形態においては、光源は第１の光源２及び第２の光源３と複数設けられている。これは、平常運転状態では、例えば一方の光源である第１の光源２のみを使用し、乗りかごがパーキング状態に入り、乗りかごの位置を示すために階床表示を点灯させる場合には他方の光源である第２の光源３を使用する、といったように、平常運転状態とパーキング状態とで使用する光源を替えるためである。なお、以下、本発明の実施の形態においては、乗りかごが平常運転状態にあるときに点灯する光源を第１の光源２として、また、パーキング状態にあるときに点灯する光源を第２の光源３として説明を行う。
【００２０】
第１の光源２または第２の光源３に使用される光源は、例えば図２ではいずれも白熱灯を使用している。第１の光源２及び第２の光源３を構成する白熱灯は、いずれもが同じ輝度を備えるものであっても、或いは、第２の光源３の輝度が第１の光源２の輝度よりも低いものであっても良い。
【００２１】
乗りかごが基準階にパーキング状態となっているときは、通常基準階の乗り場の照明も平常運転状態の時よりも暗くなっている。従って、パーキング状態を示す際に使用される第２の光源３は、平常運転状態において使用される第１の光源２よりも輝度が低くても乗り場の明るさからいって不都合であることは少ない。また、輝度が低い方が消費される電力も少なくて済むことから第２の光源３が切れる頻度は少なくなり、第２の光源３の寿命の延命化を図ることができる。
【００２２】
一方、図３に示す階床表示Ｉでは、第１の光源２は白熱灯であるが、第２の光源３ａとしてＬＥＤを使用した例を示している。ＬＥＤ（Light Emitting Diode）は、白熱灯よりも照光範囲が狭い、或いは、高コストであるとのデメリットを有するが、白熱灯に比べて長寿命であるという大きなメリットを持っている。従って、階床表示Ｉとして使用することにより、光源の寿命の延命化を図ることができる。なお、ＬＥＤの形態としては、ＬＥＤランプであってもＬＥＤチップを取り付けたＬＥＤ基板であっても良い。
【００２３】
制御手段１０ａは、図４に示すように受信手段１１と、検出手段１２と、切替手段１３と、送信手段１４と、から構成されている。検出手段１２は、例えば、パーキングスイッチのオン、オフ等を検出する。また、切替手段１３は、検出手段１２の検出結果に基づいて例えば、第１の光源２から第２の光源３へ光源の切り替えを行う。
【００２４】
次に、第１の実施の形態における光源の切り替えの流れを図５に示すフローチャートを用いつつ説明する。
【００２５】
エレベータが平常運転状態にある場合は、乗りかごが昇降路内を上下するのに合わせて階床表示Ｉが乗りかごの位置を示す（ＳＴ１）。これは例えば、乗りかごが３階にいれば各階床において３階を示す階床表示Ｉが点灯し、乗りかごが上昇すれば上向きの矢印が点灯する、等である。ここで点灯する光源は、例えば、白熱灯からなる第１の光源２である。エレベータが平常運転状態を終了しパーキング状態に移行する際には、パーキングスイッチＰがオンされる。パーキングスイッチがオンされると、検出手段１２がこのオンを検出する（ＳＴ２）。本発明の実施の形態においては、図１に示すパーキングスイッチＰを平常運転状態からパーキング状態に鍵をひねることによってパーキング状態に入る。
【００２６】
パーキングスイッチＰがオンされると、乗りかごは予め決められた基準階にて停止するとともに、階床表示Ｉの光源も平常運転状態からパーキング状態へと切り替わる。すなわち、平常運転状態では光源として第１の光源２を使用していたものを、切替手段１３が光源を第１の光源２から第２の光源３へと切り替える（ＳＴ３）。なお、この切り替えについては、ソフトウェアを用いて切り替えても良く、或いは、例えば切替スイッチ等を設けて切替手段１３がスイッチを切り替えるようにしても良い。
【００２７】
切替手段１３によって光源の切り替えが行われることによって、階床表示Ｉは乗りかごが基準階に停止していることを示すために第２の光源３を用いて基準階の階床表示Ｉを点灯させる（ＳＴ４）。この基準階の階床表示Ｉの光源の点灯はパーキング状態が続く間継続して点灯される。
【００２８】
その後、パーキングスイッチがオフにされて（ＳＴ５）パーキング状態が解除されると、エレベータの運転状態がパーキング状態から平常運転状態へと切り替えられる。同時に階床表示Ｉの光源も切り替えられる（ＳＴ６）。これも上述したように、パーキングスイッチがオフにされたことを検出手段１２が検出して、この信号に基づいて切替手段１３がパーキング状態で点灯していた第２の光源３を第１の光源２へと切り替える。そして、乗りかごの上下に合わせて階床表示Ｉの第１の光源２が該当する階床を表示する（ＳＴ７）。
【００２９】
このように、階床表示において平常運転状態時に使用する光源とパーキング状態において使用する光源とを別に設け、パーキングスイッチのオン、オフに従ってこれらの光源を切り替えることによって、特にパーキング状態での基準階における階床表示の光源の寿命を延命させることができる。また、第２の光源３に第１の光源２よりも輝度の低い光源を用いることによって第２の光源３の寿命の延命化を同時に図ることができる。これによって、メンテナンス依頼、時間を減少させるとともに、メンテナンスの効率やエレベータシステム全体の稼働効率をあげることのできるエレベータの表示装置を提供することができる。
【００３０】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００３１】
第２の実施の形態においては、光源の寿命を延命させる方法としてパーキング状態の時に使用される第２の光源３に印加する電圧を低くする方法を採用している。すなわち、図６に示す制御手段１０ｂに示すように、切替手段１３の後段に電圧制御手段１５を設けている。
【００３２】
図７に示すフローチャートでは、第１の実施の形態において光源の切り替えの流れを説明する図５のフローチャートにおけるステップ３とステップ４との間にステップ３ａが設けられている。検出手段１２が平常運転状態からパーキング状態へと移行したことを検出し（ＳＴ２）、切替手段１３によって第１の光源２からパーキング状態において点灯させる第２の光源３へと光源の切り替えが行われる（ＳＴ３）。なお、ここで、第２の実施の形態における第２の光源３は、第１の光源２と同じ輝度を有する光源を用いていても、第２の光源３が第１の光源２よりも輝度が低い光源であっても構わない。
【００３３】
第２の光源３に切り替えられた後、電圧制御手段１５が第２の光源３に印加する電圧を所定の電圧まで下げる（ＳＴ３ａ）。一般的に、光源に印加する電圧を５％下げると、光源の寿命がおよそ２倍伸びることが知られている。従って、平常運転状態において点灯する第１の光源２の輝度を低下させるわけにはいかないが、パーキング状態を示す階床表示Ｉにおいて点灯される第２の光源３の輝度を落とすことは可能である。そこで、第２の光源３に印加する電圧を下げることによって第２の光源３の寿命を長くすることが可能となる。
【００３４】
このように、階床表示において平常運転状態時に使用する光源とパーキング状態において使用する光源とを別に設け、パーキングスイッチのオン、オフに従ってこれらの光源を切り替えるとともに、パーキング状態で使用する光源への印加電圧を下げることによって、特にパーキング状態でに使用される光源の寿命の延命化を図ることができる。これによって、メンテナンス依頼、時間を減少させるとともに、メンテナンスの効率やエレベータシステム全体の稼働効率をあげることのできるエレベータの表示装置を提供することができる。
【００３５】
（第３の実施の形態）
次に本発明における第３の実施の形態について説明する。なお、第３の実施の形態において、上述の第１または第２の実施の形態において説明した構成要素と同一の構成要素には同一の符号を付し、同一の構成要素の説明は重複するので省略する。
【００３６】
第３の実施の形態においては、上述した第１及び第２の実施の形態と異なり、階床表示Ｉには第１の光源２と第２の光源３とが設けられているが、パーキング状態において光源を切り替えることはしない。すなわち、平常運転状態においてもパーキング状態においても同じ光源を使用する。但し、光源をこのように使用すると上述のように寿命が短くなることから、光源への通電が行われているかを常に検出し、使用している一方の光源が寿命となり球切れを起こしたら（一方の光源に通電が行われなくなったことを検出したら）、他方の光源に切り替える。
【００３７】
第３の実施の形態における通電の有無を検出し光源を切り替える制御手段１０ｃの構成は、上述した第１の実施の形態において説明した図４に示す構成と同一である。但し、第３の実施の形態においては検出手段１２は、使用している光源に対して通電がなされているか否かを検出する。
【００３８】
光源の切り替えについての流れを説明すると、図８に示すフローチャートに示すように、平常運転状態においてもパーキング状態においても階床表示Ｉに設けられた複数の光源のうち第１の光源２が使用される（ＳＴ１１）。ここでは、説明の便宜上、現在使用されている光源を第１の光源２とし、切り替えて使用される光源を第２の光源３と表わす。
【００３９】
光源が点灯するためにはエレベータシステムから電源が供給される必要があることから、換言すれば光源に対して電源が供給されているか否かを検出することで光源が球切れになったか否かを判断することができる。そこで、検出手段１２ａによって使用されている光源に対して電源が供給されているか否か（光源に通電しているか否か）が検出される（ＳＴ１２）。この検出は、一定の時間的間隔を持って行われることが望ましいが、この間隔は、例えば光源の寿命との関係で任意に定めることができる。
【００４０】
検出手段１２ａによるチェックの結果、その時に使用されている第１の光源に通電されていない場合は（ＳＴ１２のＮＯ）、第１の光源は球切れであるから、切替手段１３によって光源を第１の光源から第２の光源へと切り替える（ＳＴ１３）。そして新たに第２の光源を階床表示Ｉとして使用する（ＳＴ１４）。
【００４１】
このように通常使用している光源が切れたことを検出してスペアとも言える他の光源へと自動的に切り替えることによって、階床表示の寿命の延命化を図ることができる。これによって、階床表示の寿命が終わるたびにメンテナンスを行わなくてもこれまでのメンテナンス間隔通りにメンテナンスを行い、その時に併せて球切れとなった階床表示を交換すれば済むため、メンテナンス依頼、時間を減少させるとともに、メンテナンスの効率やエレベータシステム全体の稼働効率をあげることのできるエレベータの表示装置を提供することができる。
【００４２】
（第４の実施の形態）
次に本発明における第４の実施の形態について説明する。なお、第４の実施の形態において、上述の第１ないし第３の実施の形態において説明した構成要素と同一の構成要素には同一の符号を付し、同一の構成要素の説明は重複するので省略する。
【００４３】
第４の実施の形態においては、階床表示Ｉとして用いられる光源は１つである点で、上述した第１ないし第３の実施の形態における階床表示Ｉと異なる。第４の実施の形態においては、１つの光源に供給される電源を制御することによって光源の寿命の延命化を図る。
【００４４】
上述したように光源に印加する電圧を下げると光源の寿命は延びる。そこで、図９のブロック図に示すような制御手段１０ｄを用いて、平常運転状態とパーキング状態において光源に印加する電圧を変化させることによって光源の寿命の延命化を図るようにしている。
【００４５】
具体的には、検出手段１２がパーキングスイッチのオン、オフを検出して、このオン、オフに従って電圧制御手段１５は平常運転状態の電圧を基準としてパーキング状態では電圧を下げる。この制御の流れを示したのが、図１０に示すフローチャートである。
【００４６】
平常運転状態では、使用する光源は通常の輝度をもって表示される（ＳＴ２１）。この輝度は上述した第１ないし第３の実施の形態における平常運転状態で使用される光源同様、光源の使用状態に合わせてその輝度が決定される。
【００４７】
平常運転状態を終了し、パーキング状態へと移行するためにパーキングスイッチがオンされると（ＳＴ２２）、パーキングスイッチがオンされたことを検出手段１２が検出し、予め決められたパーキング状態での光源の輝度となるよう電圧制御手段１５が光源に印加する電圧を低下させる（ＳＴ２３）。平常運転状態よりも低められた電圧を印加された光源は、その輝度がパーキング状態用の輝度となる（ＳＴ２４）。階床表示Ｉはこの輝度をもってパーキング状態であることを示す。
【００４８】
次にパーキング状態から平常運転状態へと移行する際には、パーキングスイッチがオフされる。検出手段１２はこのパーキングスイッチがオフされたことを検出し（ＳＴ２５）、電圧制御手段１５によって光源に印加する電圧を平常運転状態のときの電圧へと戻す制御を行う（ＳＴ２６）。光源は改めて平常運転状態における輝度をもって階床表示Ｉを点灯する（ＳＴ２７）。
【００４９】
このように階床表示として用いる光源が１つであったとしてもパーキングスイッチのオン、オフに従って平常運転状態とパーキング状態において光源に印加する電圧を細かく制御することによって、特に基準階における階床表示の光源の寿命の延命化を図ることができる。これによって、メンテナンス依頼、時間を減少させるとともに、メンテナンスの効率やエレベータシステム全体の稼働効率をあげることのできるエレベータの表示装置を提供することができる。
【００５０】
なお、この発明は、上記実施の形態そのままに限定されるものではなく、実施段階ではその要旨を逸脱しない範囲で構成要素を変形して具体化できる。例えば、上述した各実施の形態においては基準階における階床表示の光源を例に挙げて説明をしたが、基準階に限らずその他の階床表示の光源においても応用することができる。さらに、エレベータシステムにおいて光源を使用する装置であれば、例えば方向灯や案内灯、ホールランタン等にも適用することができる。
【００５１】
また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。例えば、光源の球切れが発生したことをサービスセンタに報告する装置を制御手段内、或いは別途設けることによって、球切れが発生したことをいち早くサービスセンタに知らせ、作業員の作業効率を高める構成としても良い。
【図面の簡単な説明】
【００５２】
【図１】本発明の実施の形態に係る乗り場階におけるエレベータのドアや階床表示等を示す模式図である。
【図２】図１における階床表示ＩをＸ−Ｘ線において切断して示す切断断面図である。
【図３】図１における階床表示ＩをＸ−Ｘ線において切断して示す切断断面図である。
【図４】本発明の第１の実施の形態における制御手段の内部構成を示すブロック図である。
【図５】本発明の第１の実施の形態における光源の切り替えの流れを示すフローチャートである。
【図６】本発明の第２の実施の形態における制御手段の内部構成を示すブロック図である。
【図７】本発明の第２の実施の形態における光源へ印加される電圧の切り替えの流れを示すフローチャートである。
【図８】本発明の第３の実施の形態における光源の切り替えの流れを示すフローチャートである。
【図９】本発明の第４の実施の形態における制御手段の内部構成を示すブロック図である。
【図１０】本発明の第４の実施の形態における光源へ印加される電圧の切り替えの流れを示すフローチャートである。
【符号の説明】
【００５３】
１  ランプボックス
２  第１の光源
３  第２の光源
４  照光体
１０，１０ａ，１０ｂ，１０ｃ  制御手段
１１  受信手段
１２，１２ａ  検出手段
１３  切替手段
１４  送信手段
１５  電圧制御手段
Ｂ  乗り場ボタン
Ｄ  ドア
Ｉ  階床表示
Ｐ  パーキングスイッチ
【図１】
2009018896.tif 000003
【図２】
2009018896.tif 000004
【図３】
2009018896.tif 000005
【図４】
2009018896.tif 000006
【図５】
2009018896.tif 000007
【図６】
2009018896.tif 000008
【図７】
2009018896.tif 000009
【図８】
2009018896.tif 000010
【図９】
2009018896.tif 000011
【図１０】
2009018896.tif 000012